(57)【要約】【課題】輸送等の際に包装用パッケージ内でがたついたり、外れてしまったりせず、単独でも商品価値のある試供品用のプラスチック製ボトルを提供する。【解決手段】プラスチック製ボトル１０は、口部１１にキャップ１５を装着して香水、化粧水等の試供用液体を収納するためのもので、口部１１から下方に伸び、正面視が瓶の形状となる様に形成されたボトル本体１２と、ボトル本体１２の外側に連続してその周囲を取り囲む様に形成された平板状の額縁状部１３とを備えている。上下開放の筒を潰した形態の紙製の包装用パッケージ２０に、ボトル本体１１の外形形状に対応する開口２１を形成し、包装用パッケージ２０の開口２１にボトル本体１２を嵌め込む様にして収納したり、単独で用いたりする。【選択図】  図１
2014005069.tif 000002
【特許請求の範囲】
【請求項１】
内容物を出し入れする口部に着脱可能なキャップを装着され、以下の構成を備えていることを特徴とするプラスチック製ボトル。
（Ａ１）前記口部から下方に伸び、正面視が瓶の形状となる様に形成されたボトル本体と、該ボトル本体の外側に連続してその周囲を取り囲む様に形成された平板状の額縁状部とを備えていること。
【請求項２】
さらに、以下の構成をも備えていることを特徴とする請求項１記載のプラスチック製ボトル。
（Ａ２）前記額縁状部は、前記ボトル本体と連通した薄肉平板状の中空部を有していること。
【請求項３】
さらに、以下の構成をも備えていることを特徴とする請求項１又は２記載のプラスチック製ボトル。
（Ａ３）前記額縁状部の角部に、貫通孔が形成されていること。
【請求項４】
さらに、以下の構成をも備えていることを特徴とする請求項１〜３のいずれか記載のプラスチック製ボトル。
（Ａ４）前記ボトル本体と前記額縁状部とは、それぞれの背面が面一の平坦面となる様に形成されていること。
【請求項５】
さらに、以下の構成をも備えていることを特徴とする請求項１〜４のいずれか記載のプラスチック製ボトル。
（Ａ５）前記ボトル本体及び前記額縁状部が、透明プラスチックによって形成されていること。
【請求項６】
請求項１〜５のいずれか記載のプラスチック製ボトルを製造するために、以下の構成を採用したことを特徴とするプラスチック製ボトルの製造方法。
（Ｂ１）エア吹き込み口の軸線と中心を一致させて前記ボトル本体の外形に対応する本体部キャビティと、該本体部キャビティの周囲に連続し、前記額縁状部の外形に対応する平板状キャビティとを備えた成形用金型を用いてダイレクトブロー成形法によって製造すること。
【請求項７】
さらに、以下の構成をも備えていることを特徴とする請求項６記載のプラスチック製ボトルの製造方法。
（Ｂ２）前記成形用金型として、前記本体部キャビティ及び平板状キャビティの背面側が面一の平坦面とされた金型を用いること。
【請求項８】
さらに、以下の構成をも備えていることを特徴とする請求項５又は６記載のプラスチック製ボトルの製造方法。
（Ｂ３）前記成形用金型として、少なくとも前面を入れ子金型で構成した金型を用いること。
【発明の詳細な説明】
【技術分野】
【０００１】
本発明は、プラスチック製ボトルに係り、特に、試供品ボトルとしての利用に適するプラスチック製ボトル及びその製造方法に関するものである。
【背景技術】
【０００２】
従来、図５に示す様に、「３つ折りによって表紙部分，背表紙部分，裏表紙部分を構成するシート状体と、発泡プラスチック製厚板とを備え、全体が本形状になっていて、発泡プラスチック製厚板の表面にサンプル収納用の切欠きが形成され、この切欠き内にサンプルを嵌入保持することで、サンプルの効能を充分かつ効果的に説明することにより消費者に強くそれを印象づけることができ、しかもサンプルの保管にも適したサンプルケースを提供する」という提案がある（特許文献１）。
【先行技術文献】
【特許文献】
【０００３】
【特許文献１】実開平６−１４０６９号（要約、図１）
【発明の概要】
【発明が解決しようとする課題】
【０００４】
この従来技術は、輸送等の際にパッケージ内でサンプルボトルががたついたり、外れてしまったりしない様に、パッケージ側にボトルの外形形状と精度よく一致させた切り欠きを備えなければならないという問題がある。また、サンプルボトル自体には商品価値がないという問題もある。
【０００５】
そこで、本発明は、ボトルの外形形状と精度よく一致させた切り欠きを設けなくても輸送等の際に包装用パッケージ内でがたついたり、外れてしまったりせず、サンプルボトルとして提供した場合も単独で商品価値のあるプラスチック製ボトルを提供することを目的とする。
【課題を解決するための手段】
【０００６】
上記目的を達成するためになされた本発明のプラスチック製ボトルは、内容物を出し入れする口部に着脱可能なキャップを装着され、以下の構成を備えていることを特徴とする。
（Ａ１）前記口部から下方に伸び、正面視が瓶の形状となる様に形成されたボトル本体と、該ボトル本体の外側に連続してその周囲を取り囲む様に形成された平板状の額縁状部とを備えていること。
【０００７】
ここで、本発明のプラスチック製ボトルは、さらに、以下の構成をも備えるとよい。
（Ａ２）前記額縁状部は、前記ボトル本体と連通した薄肉平板状の中空部を有していること。
【０００８】
本発明のプラスチック製ボトルによれば、ボトル本体の外形形状に対応する開口を形成した台紙などを用いて、当該開口にボトル本体を嵌め込む様にしておけば、額縁状部が邪魔をするので、台紙からからボトルが外れ落ちることがない。また、包装用パッケージ等から取り出したときに、額縁状部が装飾となることから、試供品の様に小さなボトルであってもボトル本体を際だたせることができ、ボトルとしての単独の商品価値を与えることができる。また、ボトル本体と額縁状部とを連通させる場合、ブロー成形時の内圧を額縁状収容部も受けるから金型形状を精度よく反映させることができる。
【０００９】
ここで、本発明のプラスチック製ボトルは、さらに、以下の構成をも備えると、試供品として提供した場合に、サンプル使用済みとなった後も、ストラップやペンダントトップなどの装飾品等として利用することができる。
（Ａ３）前記額縁状部の角部に、貫通孔が形成されていること。
【００１０】
また、本発明のプラスチック製ボトルは、さらに、以下の構成をも備えることにより、背面を下にして置けば転がることがなく、カタログ等の中に挟み込んだり、封筒に封入したりし易く、試供品を提供する際の荷姿を安定させることができる。
（Ａ４）前記ボトル本体と前記額縁状部とは、それぞれの背面が面一の平坦面となる様に形成されていること。
【００１１】
加えて、これら本発明のプラスチック製ボトルは、さらに、以下の構成をも備えることにより、試供品用として提供した場合に内容物を目視確認でき、額縁状部の内容物も視認されるが、薄肉平板状収容部とされているので、内容物の色はボトル本体に比べて薄くなり、ボトル本体を際だたせ、違和感を与えない。また、台紙等に重ねたときに背景が透けて見えるから、台紙の印刷を活かした試供品ボトルとして機能する。
（Ａ５）前記ボトル本体及び前記額縁状部が、透明プラスチックによって形成されていること。
【００１２】
これら本発明のプラスチック製ボトルは、以下の構成を採用したプラスチック製ボトルの製造方法により製造することができる。
（Ｂ１）エア吹き込み口の軸線と中心を一致させて前記ボトル本体の外形に対応する本体部キャビティと、該本体部キャビティの周囲に連続し、前記額縁状部の外形に対応する平板状キャビティとを備えた成形用金型を用いてダイレクトブロー成形法によって製造すること。
【００１３】
また、本発明のプラスチック製ボトルの製造方法は、さらに、以下の構成をも備えるとよい。
（Ｂ２）前記成形用金型として、前記本体部キャビティ及び平板状キャビティの背面側が面一の平坦面とされた金型を用いること。
【００１４】
加えて、本発明のプラスチック製ボトルの製造方法は、さらに、以下の構成をも備えるとよい。
（Ｂ３）前記成形用金型として、少なくとも前面を入れ子金型で構成した金型を用いること。
【００１５】
これら本発明のプラスチック製ボトルの製造方法によれば、上述した様に試供品として提供する際に、台紙等からこぼれ落ちにくいボトルを製造するに当たって、別々に製造したパーツ同士を接合する必用がない。また、前面を入れ子金型とすることで、額縁状部の内側に形成されるボトル本体の外形形状を試供品が対応する製品の形状への変更を容易に行うことができる。
【発明の効果】
【００１６】
本発明によれば、包装用パッケージにボトルの外形形状と精度よく一致させた切り欠きを設けなくても輸送等の際にがたついたり、外れてしまったりせず、サンプルボトルとして提供した場合も単独で商品価値のあるプラスチック製ボトルを提供することができる。
【図面の簡単な説明】
【００１７】
【図１】実施例１のプラスチック製ボトルの斜視図である。
【図２】実施例２のプラスチック製ボトル製造用ブロー成形用金型の説明図である。
【図３】実施例３のプラスチック製ボトルの六面図である。
【図４】実施例３のプラスチック製ボトルの斜視図及び端面図である。
【図５】従来例の説明図である。
【発明を実施するための形態】
【００１８】
以下に、本発明を実施するための形態を、いくつかの実施例に基づいて説明する。
【実施例１】
【００１９】
実施例１のプラスチック製ボトル１０は、図１に示す様に、内容物を出し入れする口部１１に着脱可能なキャップ１５を装着して香水、化粧水等の試供用液体を収納するためのものである。このプラスチック製ボトル１０は、口部１１から下方に伸び、正面視が瓶の形状となる様に形成されたボトル本体１２と、ボトル本体１２の外側に連続してその周囲を取り囲む様に形成された平板状の額縁状部１３とを備えている。
【００２０】
このプラスチック製ボトル１０によれば、図１（Ｂ）に示す様に、上下開放の筒を潰した形態の紙製の包装用パッケージ２０に、ボトル本体１１の外形形状に対応する開口２１を形成し、図１（Ｃ）に示す様に、包装用パッケージ２０の開口２１にボトル本体１２を嵌め込む様にして収納すれば、額縁状部１３が邪魔をするので、包装用パッケージ２０の開口２１から前に抜け落ちることがなく、ボトル本体１２が邪魔をするので、包装用パッケージ２０の左右を押して潰れた状態を解除しない限りは、上下の開放端から落ちてしまうということもない。
【００２１】
また、包装用パッケージ２０から取り出したとき、額縁状部１３が装飾となることから、試供品の様に小さなボトルであってもボトル本体１２を際だたせることができ、ボトルとしての単独の商品価値を与えることができる。
【００２２】
加えて、実施例１のプラスチック製ボトル１０は、透明プラスチックで成形されているので、試供品用として提供した内容物の色合いなどを目視確認でき、額縁状部１３にも内容物が視認されるが、薄肉平板状の中空部となっているので、内容物の色はボトル本体１２に比べて薄くなり、ボトル本体１２を際だたせ、違和感を与えない。また、台紙に重ねたときに背景が透けて見えるから、台紙の印刷を活かした試供品ボトルとして機能する。
【実施例２】
【００２３】
実施例２として、実施例１のプラスチック製ボトル１０を成形するのに適するダイレクトブロー成形用の成形金型３０を説明する。
【００２４】
このブロー成形金型３０は、図２に示す様に、エア吹き込み口３１から背面扁平なボトル本体１２に対応する本体部キャビティ３２，３３と、背面側の本体部キャビティ３２に連続する平坦面で構成され、額縁状部１３の外形に対応する板状キャビティ３４，３５とを備えている。
【００２５】
前面側の板状キャビティ３５には、四隅近くに食い切り刃４１を備え、四隅に貫通孔を形成することにより、押しピンで壁面に止めたり、鎖を通してペンダントトップとして使用したりもできる様にしてある。また、板状キャビティ３５の縁に沿ってコンプレッションゾーン４２が備えられ、額縁状部１３に押し潰された凹入模様を形成して装飾することもできる様にしてある。
【００２６】
また、このブロー成型用成形用金型３０は、前面側のキャビティ３３，３５を入れ子金型４０に形成してある。この結果、実施例２によれば、実施例１で説明した様なプラスチック製ボトルを、入れ子金型４０を取り替えるだけで、試供品として提供する製品ボトルの形状をミニチュア化したボトル本体を有するものへの変更を容易に行うことができる。
【実施例３】
【００２７】
次に、実施例３を説明する。実施例３のプラスチック製ボトル５０は、図３に示す様に、内容物を出し入れする口部５１から下方に伸び、正面視が瓶の形状となる様に形成されたボトル本体５２と、ボトル本体５２の外側に連続してその周囲を取り囲む様に形成された平板状の額縁状部５３とを備えている。額縁状部５３は、ボトル本体５２と連通した薄肉平板状の中空部５４を有している。
【００２８】
また、プラスチック製ボトル５０は、ボトル本体５２と額縁状部５３とが、それぞれの背面が面一の平坦面５５となっているので、背面を下にして置けば転がることがなく、カタログ等の中に挟み込んだり、封筒に封入したりし易く、試供品を提供する際の荷姿を安定させることができる。図１（Ａ），（Ｂ）から分かる様に、実施例１のボトル１０も背面が平坦で、実施例３のボトル５０と同様の作用・効果を奏する。
【００２９】
以上、本発明の実施例を説明したが、本発明はこれらの実施例に限定されるものではなく、その要旨を逸脱しない範囲内で種々に実施することができる。
【００３０】
例えば、実施例１のボトル１０は、包装用パッケージ２０に収納せずに単独で使用してもよいし、縦横寸法をクレジットカードや会員カードなどと同じにしておくことで、カード利用者へのポイント還元等のサービスの際のおまけとしてカードと重ねて手渡す様にしてもよい。透明なボトルであるから、カードに重ねてもカードが透けて見えるから利用者に不安を与えることもない。
【産業上の利用可能性】
【００３１】
試供品提供用のボトルや液体の入るアクセサリーとして利用することができる。
【符号の説明】
【００３２】
１０・・・プラスチック製ボトル
１１・・・口部
１２・・・ボトル本体
１３・・・額縁状部
１５・・・キャップ
２０・・・包装用パッケージ
２１・・・開口
３０・・・成形金型
３１・・・エア吹き込み口
３２・・・本体部キャビティ（背面側）
３３・・・本体部キャビティ（正面側）
３４・・・平板状キャビティ（背面側）
３５・・・平板状キャビティ（正面側）
４０・・・入れ子金型
４１・・・食い切り刃
４２・・・コンプレッションゾーン
５０・・・プラスチック製ボトル
５１・・・口部
５２・・・ボトル本体
５３・・・額縁状部
５４・・・薄肉平板状の中空部
【図１】
2014005069.tif 000003
【図２】
2014005069.tif 000004
【図３】
2014005069.tif 000005
【図４】
2014005069.tif 000006
【図５】
2014005069.tif 000007